(57)【要約】【課題】安定して且つ、容易に高さ調整を行うことを可能とする棚装置を提供する。【解決手段】棚装置Ｓは、上下に立設された支柱２８にブラケット３１を取り付け、このブラケット３１上に棚３２を架設して成るものであって、支柱２８に形成された上下に延在する長孔３０と、ブラケット３１の後端に形成され、長孔３０に上下移動自在に係合される係合部４５と、支柱２８に着脱自在に取り付けられる保持部４６とを備え、保持部４６の係合爪４７が支柱２８に取り付けられていない状態で、ブラケット３１は上下移動可能に支柱に保持されると共に、保持部４６の係合爪４７が支柱２８に取り付けられた状態で、ブラケット３１は上下移動不能とする。【選択図】図４
2008136546.tif 000002
【特許請求の範囲】
【請求項１】
上下に立設された支柱にブラケットを取り付け、このブラケット上に棚を架設して成る棚装置において、
前記支柱に形成された上下に延在する長孔と、
前記ブラケットの後端に形成され、前記長孔に上下移動自在に係合される係合部と、
前記支柱に着脱自在に取り付けられる保持手段とを備え、
該保持手段が前記支柱に取り付けられていない状態で、前記ブラケットは上下移動可能に前記支柱に保持されると共に、前記保持手段が前記支柱に取り付けられた状態で、前記ブラケットは上下移動不能となることを特徴とする棚装置。
【請求項２】
前記支柱に上下に渡って複数形成された係合孔を備え、
前記保持手段は、前記ブラケットの後部に形成され、何れかの前記係合孔に係脱自在に係合する係合爪であることを特徴とする請求項１に記載の棚装置。
【請求項３】
前記係合爪は、前記ブラケットの後部において前後に複数形成されていることを特徴とする請求項２に記載の棚装置。
【発明の詳細な説明】
【技術分野】
【０００１】
本発明は、ショーケース等の陳列室内に取り付けられる棚装置に関するものである。
【背景技術】
【０００２】
従来よりスーパーマーケットやコンビニエンスストアなどの店舗に設置されるショーケース等には、庫内に商品陳列用の棚装置が複数段架設されている。この棚装置は、支柱に支持された一対のブラケット上に棚板を架設して構成される。このとき、ブラケットは、後端に複数の係合爪を備えており、この係合爪を、支柱の前面に上下に渡って複数垂直方向に形成される係合孔に係合させることにより、ブラケットは支柱に支持される。そのため、ブラケットを取り付ける際には、支柱の前方から係合爪を各係合孔に挿入して係合させることにより行う。
【０００３】
従って、ショーケースの陳列レイアウトの変更等に伴い、棚装置の高さ変更が必要となる場合には、ブラケット後端に形成される係合爪を現在係合される支柱の係合孔から離脱させ、所望とする高さ位置に形成される係合孔に係合させる。これにより、任意に棚装置の高さを変更することが可能となる。
【特許文献１】特開２０００−２２５０２６号公報
【発明の開示】
【発明が解決しようとする課題】
【０００４】
しかしながら、この棚装置の高さ変更を行う際には、先ず、当該棚装置の棚板に現在載置されている商品等を下ろし、棚板をブラケットから取り外し、当該ブラケットを取り外す作業が必要となる。このとき、ブラケットは、先ず、後端に形成された複数の係合爪すべてをそれぞれが係合される係合孔から取り外す。その後、所望とする高さ位置に棚板を架設すべく、対応する係合孔にブラケットに形成された複数の係合爪のそれぞれを挿入係合させ、各ブラケット間に渡って棚板を取り付ける。
【０００５】
そのため、棚装置の高さ変更を行う作業は極めて煩雑となる。そこで、棚板を取り付けたままで、各ブラケットのそれぞれの係合爪を各係合孔から外し、所望とする高さに対応する係合孔にそれぞれの係合爪を挿入係合することも考えられるが、係る場合には、棚装置すべてが支柱側から離れた状態となるため、不安定となり、棚板から商品を落としてしまったり、棚板がブラケットから脱落してしまうなどの不都合が生じ、却って作業が煩雑となる問題がある。
【０００６】
そこで、本発明は従来の技術的課題を解決するためになされたものであり、安定して且つ、容易に高さ調整を行うことを可能とする棚装置を提供する。
【課題を解決するための手段】
【０００７】
本発明の棚装置は、上下に立設された支柱にブラケットを取り付け、このブラケット上に棚を架設して成るものであって、支柱に形成された上下に延在する長孔と、ブラケットの後端に形成され、長孔に上下移動自在に係合される係合部と、支柱に着脱自在に取り付けられる保持手段とを備え、該保持手段が支柱に取り付けられていない状態で、ブラケットは上下移動可能に支柱に保持されると共に、保持手段が支柱に取り付けられた状態で、ブラケットは上下移動不能となることを特徴とする。
【０００８】
請求項２の発明の棚装置は、上記発明において、支柱に上下に渡って複数形成された係合孔を備え、保持手段は、ブラケットの後部に形成され、何れかの係合孔に係脱自在に係合する係合爪であることを特徴とする。
【０００９】
請求項３の発明の棚装置は、上記発明において、係合爪は、ブラケットの後部において前後に複数形成されていることを特徴とする。
【発明の効果】
【００１０】
本発明によれば、上下に立設された支柱にブラケットを取り付け、このブラケット上に棚を架設して成る棚装置において、支柱に形成された上下に延在する長孔と、ブラケットの後端に形成され、長孔に上下移動自在に係合される係合部と、支柱に着脱自在に取り付けられる保持手段とを備え、該保持手段が支柱に取り付けられていない状態で、ブラケットは上下移動可能に支柱に保持されると共に、保持手段が支柱に取り付けられた状態で、ブラケットは上下移動不能となるので、ブラケットを支柱から取り外すことなく、高さ調整を行うことが可能となる。
【００１１】
これにより、ブラケットに棚を架設した状態のまま、支柱に取り付けられる保持手段を取り外し、棚装置の高さ調整を行った場合であっても、ブラケットの位置が左右にぶれることなく安定して棚装置の高さを変更することが可能となる。
【００１２】
そのため、棚装置に載置される商品の重量によっては、陳列レイアウトの変更等に伴って行われる棚装置の高さ変更の際に、棚装置上の商品をすべて退かすことなく作業を行うことが可能となり、作業の簡素化を図ることができるようになる。
【００１３】
請求項２の発明によれば、上記発明において、支柱に上下に渡って複数形成された係合孔を備え、保持手段は、ブラケットの後部に形成され、何れかの係合孔に係脱自在に係合する係合爪であるので、格別な保持部材を用いることなく、容易に、且つ、安定してブラケットの保持を行うことが可能となる。
【００１４】
請求項３の発明によれば、上記発明において、係合爪は、ブラケットの後部において前後に複数形成されているので、支柱の係合孔に係合される係合爪によって、棚装置の傾斜角度を変更することが可能となる。
【発明を実施するための最良の形態】
【００１５】
以下、本発明を適用した実施形態について図面を参照して説明する。図１は本発明を適用したショーケース１の斜視図、図２はショーケースの概略縦断側面図を示している。各図において、ショーケース１はスーパーマーケットやコンビニエンスストアなどの店舗内に設置されるものであり、断面略コ字状の断熱壁２と、この断熱壁２の両側に取り付けられた側板３、３とから構成される。この断熱壁２の内側にはそれぞれ間隔を存して仕切板４、６が取り付けられ、これら仕切板４及び６間を内層ダクト７、外側の仕切板６と断熱壁２間を外層ダクト８としている。
【００１６】
内側の仕切板４を構成する背部仕切板１０の下端前方には底壁９が断熱壁２の底壁２Ａとの間にダクト用の間隔を存して取り付けられており、これら仕切板４及び底板９の内側を陳列室１１としている。断熱壁２の前面開口１２の上縁にはハニカム材１３、１４がそれぞれ取り付けられた内層吐出口１６及び外層吐出口１７が並設されており、これら内層吐出口１６及び外層吐出口１７は内層ダクト７及び外層ダクト８にそれぞれ連通している。開口１２の下縁には内層吸込口１８と外層吸込口１９が並設されており、両吸込口１８、１９には複数のスリットが穿設された吸込口カバー２２が設けられている。
【００１７】
一方、底板９下方後部には断熱壁２の底壁２Ａ上にファンケース２３が設置されており、このファンケース２３には送風機２４が内層用及び外層用に複数台取り付けられている。また、底板９下方の空間は、区画部材２６によって二つのダクトに区画されており、前記内層吸込口１８は内層用の送風機２４を経て内層ダクト７に、前記外層吸込口１９は外層用の送風機２４を経て外層ダクト８に連通せられている。
【００１８】
背部仕切板１０後方の内層ダクト７内には冷却装置の冷却器２７が縦設されており、前記内層用の送風機２４が運転されると、冷却器２７と熱交換した冷気は図２中破線矢印の如く内層ダクト７内を上昇せられ、内層吐出口１６より内層吸込口１８に向かって吐出される。一方、前記外層用の送風機２４が運転されると外層ダクト８内の空気は図２中実線矢印の如く外層ダクト８内を上昇せられ、外層吐出口１７より外層吸込口１９に向かって吐出される。そして、外層吸込口１９から吸い込まれた空気は、再び送風機２４によって加速される。これによって、開口１２には前後二重のエアーカーテンが形成され、内側の冷気エアーカーテンの一部が陳列室１１内に循環されて陳列室１１は冷却される。
【００１９】
一方、断熱壁２の天壁２Ｂ前端には、反射板３３が取り付けられており、この反射板３３には取付板３４により上下二本の蛍光灯３６、３７が左右に渡って取り付けられ、反射板３３の前面には、温度計３８が設けられている。そして、蛍光灯３６、３７の前方には半透明のシェード３９が取り付けられ、蛍光灯３６、３７は点灯して陳列室１１内を照明すると共に、前方のシェード３９を後方より照らし出す。
【００２０】
他方、断熱壁２の底壁２Ａ上面はファンケース２３の前方に向かって低く傾斜しており、その最下部にドレン受け４１が形成され、ドレン受け４１には排水ホース４２に連通した排水孔４３が形成されている。冷却器２７に成長した着霜は図示しない除霜ヒータによって加熱融解されるが、この除霜水は底壁２Ａ上面を流下してドレン受け４１に集まり、排水孔４３から排水ホース４２に流入して廃棄される。また、内層吸込口１８及び外層吸込口１９から流下した結露水等もその下方のドレン受け４１に集められ、同様に排水される。
【００２１】
次に、本発明の棚装置Ｓの構成について図３乃至図６を参照して詳述する。図３は一側、向かって右側に位置する支柱２８の正面図、図４はブラケット３１後部の斜視図、図５はブラケット３１の係合部４５が支柱２８の長孔３０に係合されている状態を示す断面図、図６はブラケット３１の保持部４６が支柱２８の係合孔２９に係合されている状態を示す縦断側面図をそれぞれ示している。本発明の棚装置Ｓは、陳列室１１背面の背部仕切板１０（仕切板４）の両側及び中央などに立設された支柱２８に取り付けられるブラケット３１と、当該ブラケット３１、３１に渡って架設される棚３２とから構成されている。
【００２２】
この支柱２８の前面には、上下に延在する長孔３０と、上下に渡って所定間隔で複数の係合孔２９・・・が形成されている。本実施例では、長孔３０は、棚３２に対して各係合孔２９よりも内側に位置して形成されている。尚、各棚３２に対応して左右両側部にブラケット３１がそれぞれ設けられており、図３では棚３２の正面から向かって右側部について図示している。そのため、棚３２の正面から向かって左側部に関しては、この図３とは対称的に形成されたブラケット３１が設けられる。
【００２３】
また、本実施例において長孔３０は、上下に２つ形成されており、これら長孔３０、３０により、全棚装置Ｓの上下移動範囲をカバーすることができるものとする。当該長孔３０は、この形態に限定されるものではなく、全棚装置Ｓの上下移動範囲に形成される一つの長孔でも良く、３つ以上に分割されていても良い。又は、各棚装置Ｓの上下移動範囲毎にそれぞれ延在して形成されているものであっても良いものとする。
【００２４】
棚装置Ｓを構成するブラケット３１は、下面が前端から後端に渡って低く形成されていると共に、後端に係合部４５と、保持部（保持手段）４６が形成されている。本実施例において、係合部４５は、ブラケット３１の後端上部に位置して後方に延在して形成される。保持部４６は、ブラケット３１の後部に位置して、前記支柱２８の係合孔２９に挿脱可能に形成されており、この下面には、前後に渡って複数の係合爪４７・・が形成されている。この係合爪４７は、支柱２８の係合孔２９の下縁に着脱自在に係合されるものである。
【００２５】
係合部４５は、端部が棚３２側に向けて略直角に折曲された後、係合孔２９が形成される位置、即ち、ブラケット３１の本体の側面と面一の位置から長孔３０が形成される位置まで延在した後、後方に向けて略直角に折曲され、更にその端部が再度棚３２側に向けて略直角に折曲されることにより、階段状に形成される。本実施例では、上述した如く三度折曲することにより、係合部４５が形成されており、最も端部側に位置する折曲部を第１折曲部４５Ａとし、この直ぐ前方に位置する折曲部を第２折曲部４５Ｂ、最もブラケット３１本体側に位置する折曲部を第３折曲部４５Ｃとし、第１折曲部４５Ａよりも先端側を端部４５Ｄとする（図４、図５参照）。尚、当該折曲回数は、これに限定されるものではなく、これ以上とし、係合部４５が長孔３０から容易に抜け出しにくい構成としても良い。
【００２６】
これに対し、支柱２８に形成される長孔３０は、ブラケット３１の係合部４５の厚さ寸法に対し、所定の寸法だけ幅広、具体的には、係合部４５の厚さ寸法に加えて、折曲形状に沿って係合部４５を長孔３０に挿入可能とする隙間を有する寸法に形成されている。
【００２７】
係る構成により、ブラケット３１を支柱２８に取り付ける際には、先ず初めに、ブラケット３１の前端を内方に（棚３２が架設される側に）向けて傾斜させ、ブラケット３１自在を背部仕切板１０と略平行とすると共に、前端を上方に傾斜させた状態で、係合部４５の端部４５Ｄを第１折曲部４５Ａまで長孔３０に挿入した後、ブラケット３１の前端を側板３と略平行の位置まで当該長孔３０に挿入された係合部４５を中心に回転移動させ、長孔３０は、第１折曲部４５Ａと第２折曲部４５Ｂの間に位置させる。このように、支柱２８の前面と、ブラケット３１本体との成す角度を変更させながら、ブラケット３１の係合部４５を長孔３０に挿入することにより、係合部４５が支柱２８に取り付けられた状態で、ブラケット３１は、支柱２８の後面に当接する辺、即ち、係合部４５の端部４５Ｄによって手前側への移動が規制されると共に、係合部４５の第２折曲部４５Ｂと第３折曲部４５Ｃの間の辺、即ち、支柱２８の前面に当接する辺によって奥方向への移動が規制される。また、係合部４５は、長孔３０が形成されている範囲で上下に移動自在とされる。
【００２８】
この状態で、ブラケット３１が所望の取り付け高さとなるように、係合部４５を長孔３０内で上下に移動させる。その後、ブラケット３１の後部下辺に設けられる保持部４６を所定の位置に形成される係合孔２９内に挿入し、当該保持部４６の下面に形成される係合爪４７と係合孔２９の下縁とを係合させ、ブラケット３１の上下移動を不能とする。
【００２９】
このようにして左右のブラケット３１を支柱２８に取り付けた後、これらブラケット３１間に渡って棚３２を架設する。これにより、所定の高さに安定して棚装置Ｓを架設することが可能となる。
【００３０】
そして、棚３２が架設された状態で、取り付け高さを変更する場合には、先ず、ブラケット３１全体を上方に持ち上げ、更に前端を上方に持ち上げて、保持部４６を支柱２８の係合孔２９から離脱させる。係る状態では、ブラケット３１は、支柱２８の長孔３０に係合された係合部４５によって、上下移動可能に支柱２８に支持されているため、ブラケット３１を支柱２８から完全に取り外すことなく、容易に高さ調整を行うことが可能となる。
【００３１】
所望の取り付け高さにブラケット３１を移動させた後、上記と同様にブラケット３１の後部下辺に設けられる保持部４６を対応する位置に形成される係合孔２９内に挿入し、当該保持部４６の下面に形成される係合爪４７と係合孔２９の下縁とを係合させ、ブラケット３１の上下移動を不能とする。これにより、安定した棚装置Ｓの架設が可能となる。
【００３２】
このように、ブラケット３１に棚３２を架設した状態のまま、支柱２８に取り付けられる保持部４６を取り外し、棚３２及びブラケット３１の架設高さ調整を行った場合であっても、ブラケット３１の位置が左右にぶれることなく安定して、且つ、容易に高さを変更することが可能となる。
【００３３】
係る構成により、棚３２に載置される商品の重量が少ない場合などには、陳列レイアウトの変更等に伴って行われる棚３２の高さ変更の際に、棚３２上の商品をすべて退かすことなく作業を行うことが可能となり、作業の簡素化を図ることができるようになる。
【００３４】
尚、本実施例では、保持部４６は、係合爪４７を備えているものであるため、格別な保持部材や固定具などを用いることなく、容易に、且つ、安定してブラケット３１の保持を行うことが可能となる。
【００３５】
また、本実施例における保持部４６は、下面に前後に渡って複数の係合爪４７が形成されているものであるため、支柱２８の係合孔２９に係合させる係合爪４７を選択することによって、ブラケット３１の固定と同時に、棚３２の傾斜角度を変更することが可能となる。
【００３６】
これにより、陳列される商品に応じて、容易に棚３２の架設高さを変更することが可能となると共に、棚３２の傾斜角度を変更することが可能となり、陳列効果の向上を図ることが可能となる。
【００３７】
尚、上記実施例において、棚の架設数を変更する場合などにおいて、ブラケット３１を支柱２８から完全に取り外す際には、上記取り付け手順とは逆の手順にてブラケット３１を支柱２８から完全に離脱させる。係るブラケット３１の支柱２８への挿脱作業は、ブラケット３１に形成される係合部４５を、ブラケット３１の前端を棚３２側に傾斜させながら行う構成とされているため、ブラケット３１自体は、棚３２の下方において操作され、ブラケット３１の側方に位置する側板３が干渉して作業の邪魔となることがない。また、係合部４５が係合させる長孔３０は、棚３２に対して支柱２８の各係合孔２９・・・よりも内側に位置して形成されているため、側板３と支柱２８との隙間が狭い場合であっても、好適にブラケット３１の係合部４５の着脱作業を行うことが可能となる。
【００３８】
また、本実施例では、ブラケット３１を側板３に近接して取り付けられているが、例えば、ブラケット３１の近接して側板３が設けずに、ショーケース同士を連結して設置する場合には、左右のブラケット３１を同一の形状とすることにより、部品の共通化を図ることが可能となる。
【００３９】
また、本実施例の係合部４５は、上述したように端部が複数回折曲されることにより、支柱２８の長孔３０に対し、係脱自在に取り付け可能な構成としているが、これに限定されるものではなく、長孔３０の所定の箇所（少なくとも棚３２の所定の固定位置に対応する係合部４５の取付位置を除く）においてのみ、着脱可能な構成としても良いものとする。
【００４０】
更に、本実施例の保持部４６は、係合爪４７を備えた構成としているが、これに限定されるものではなく、支柱２８に対し、ブラケット３１を着脱自在に保持可能とする保持手段であれば本発明の目的を達成することができる。他の保持手段として、例えば、ブラケット３１自体に係合孔が設けられ、支柱２８に形成された係合孔２９に対応して各孔に挿入されブラケット３１を支柱２８に支持可能とする挿入辺を備えた固定具などにより構成しても良いものとする。
【図面の簡単な説明】
【００４１】
【図１】本発明の棚装置を備えたショーケースの斜視図である。
【図２】図１のショーケースの概略縦断側面図である。
【図３】一側の支柱の正面図である。
【図４】ブラケット後部の斜視図である。
【図５】ブラケットの係合部の係合状態を示す断面図である。
【図６】ブラケットの保持部の係合状態を示す縦断側面図である。
【符号の説明】
【００４２】
Ｓ    棚装置
１    ショーケース
２    断熱壁
３    側板
４、６  仕切板
１０  背部仕切板
１１  陳列室
２８  支柱
２９  係合孔
３０  長孔
３１  ブラケット
３２  棚
４５  係合部
４５Ａ、４５Ｂ、４５Ｃ  折曲部
４５Ｄ  端部
４６  保持部（保持手段）
４７  係合爪
【図１】
2008136546.tif 000003
【図２】
2008136546.tif 000004
【図３】
2008136546.tif 000005
【図４】
2008136546.tif 000006
【図５】
2008136546.tif 000007
【図６】
2008136546.tif 000008